(57)【要約】【課題】本発明は、プラズマディスプレイパネルの放電及び駆動回路素子から発生する騷音を低費用で遮断することを目的とする。【解決手段】本発明は、上、下板が結合されたプラズマディスプレイパネルと、前記プラズマディスプレイパネルの背面に形成された除振シートと、前記除振シートの背面に形成されて前記プラズマディスプレイパネルを駆動する多数の駆動回路基板と、を含む。本発明は、プラズマディスプレイパネルの放電及び駆動回路素子から発生する騷音を遮断することによって、高い水準の騷音低減が保障されてプラズマ表示装置の製造費用を低減する。 【選択図】図３
2006184904.tif 000002
【特許請求の範囲】
【請求項１】
上、下板が結合されたプラズマディスプレイパネルと、
前記プラズマディスプレイパネルの背面に形成された除振シートと、
前記除振シートの背面に形成されて前記プラズマディスプレイパネルを駆動する多数の駆動回路基板と、
を含むことを特徴とするプラズマ表示装置。
【請求項２】
前記除振シートの背面に形成されて、前記多数の駆動回路基板を固定するフレームを更に含むことを特徴とする請求項１に記載のプラズマ表示装置。
【請求項３】
前記除振シートはポリマー系列の物質または繊維形態の無機物質の中、少なくともいずれか一つを含むことを特徴とする請求項２に記載のプラズマ表示装置。
【請求項４】
前記除振シートは、熱伝導性物質を含むことを特徴とする請求項３に記載のプラズマ表示装置。
【請求項５】
前記熱伝導性物質は炭素（C）であることを特徴とする請求項４に記載のプラズマ表示装置。
【請求項６】
上、下板が結合されたプラズマディスプレイパネルと、
前記プラズマディスプレイパネルの背面に形成された放熱シートと、
前記放熱シートの背面に形成された除振シートと、
前記除振シートの背面に形成されて、前記プラズマディスプレイパネルを駆動する多数の駆動回路基板と、
を含むことを特徴とするプラズマ表示装置。
【請求項７】
前記除振シートの背面に形成されて、前記多数の駆動回路基板を固定するフレームを更に含むことを特徴とする請求項６に記載のプラズマ表示装置。
【請求項８】
前記除振シートは、前記多数の駆動回路基板の中、少なくとも一つ以上の駆動回路基板と対向して付着されることを特徴とする請求項７に記載のプラズマ表示装置。
【請求項９】
前記除振シートはポリマー系列の物質または繊維形態の無機物質の中、少なくともいずれか一つを含むことを特徴とする請求項８に記載のプラズマ表示装置。
【請求項１０】
前記除振シートは熱伝導性物質を含み、
前記熱伝導性物質は炭素（C）であることを特徴とする請求項９に記載のプラズマ表示装置。
【請求項１１】
前記放熱シートの背面に溝が形成され、
前記溝には前記除振シートが形成されることを特徴とする請求項６に記載のプラズマ表示装置。
【請求項１２】
前記除振シートはポリマー系列の物質または繊維形態の無機物質の中、少なくともいずれか一つを含むことを特徴とする請求項１１に記載のプラズマ表示装置。
【請求項１３】
前記除振シートは熱伝導性物質を含み、
前記熱伝導性物質は炭素（C）であることを特徴とする請求項１２に記載のプラズマ表示装置。
【請求項１４】
上、下板が結合されたプラズマディスプレイパネルと、
前記プラズマディスプレイパネルの背面に形成された除振シートと、
前記除振シートの背面に形成された放熱シートと、
前記放熱シートの背面に形成されて、前記プラズマディスプレイパネルを駆動する多数の駆動回路基板と、
を含むことを特徴とするプラズマ表示装置。
【請求項１５】
前記放熱シートの背面に形成されて、前記多数の駆動回路基板を固定するフレームを更に含むことを特徴とする請求項１４に記載のプラズマ表示装置。
【請求項１６】
前記除振シートは前記多数の駆動回路基板の中、少なくとも一つ以上の駆動回路基板と対向して付着されることを特徴とする請求項１５に記載のプラズマ表示装置。
【請求項１７】
前記除振シートはポリマー系列の物質または繊維形態の無機物質の中、少なくともいずれか一つを含むことを特徴とする請求項１６に記載のプラズマ表示装置。
【請求項１８】
前記除振シートは熱伝導性物質を含み、
前記熱伝導性物質は炭素（C）であることを特徴とする請求項１７に記載のプラズマ表示装置。
【請求項１９】
前記放熱シートの前面に溝が形成され、
前記溝には前記除振シートが形成されることを特徴とする請求項１４に記載のプラズマ表示装置。
【請求項２０】
前記除振シートはポリマー系列の物質または繊維形態の無機物質の中、少なくともいずれか一つを含み、
前記除振シートは熱伝導性物質を含み、
前記熱伝導性物質は炭素（C）であることを特徴とする請求項１９に記載のプラズマ表示装置。
【発明の詳細な説明】
【技術分野】
【０００１】
本発明は、ディスプレイ装置に関し、より詳しくは、プラズマ表示装置に関する。
【背景技術】
【０００２】
一般に、ディスプレイ装置の中、プラズマディスプレイ装置はプラズマディスプレイパネルとプラズマディスプレイパネルを駆動するための駆動部を含む。
【０００３】
プラズマディスプレイパネルは前面基板と後面基板との間に形成された隔壁が一つの単位セルをなすものであって、各セル内にはネオン（Ne）、ヘリウム（He）、または、ネオン及びヘリウムの混合気体（Ne+He）のような主放電気体と少量のキセノンを含有する不活性ガスが充填されている。高周波電圧により放電される際、不活性ガスは真空紫外線（VacuumUltraviolet rays）を発生し、隔壁間に形成された蛍光体を発光させて画像が具現される。このようなプラズマディスプレイ装置は薄くて、かつ、軽い構成が可能であるので次世代の表示装置として脚光を浴びている。
【０００４】
図１は、一般的なプラズマディスプレイパネルの斜視図である。図１に示すように、プラズマディスプレイパネルは画像がディスプレイされる表示面である前面ガラス１０１にスキャン電極１０２とサステイン電極１０３が対をなして形成された複数の維持電極対が配列された前面基板１００及び背面をなす後面ガラス１１１上に前述の複数の維持電極対と交差されるように複数のアドレス電極１１３が配列された後面基板１１０が一定の距離を置いて平行するように結合される。
【０００５】
前面基板１００は一つの放電セルで相互放電させ、セルの発光を維持するためのスキャン電極１０２及びサステイン電極１０３、即ち、透明なＩＴＯ物質で形成された透明電極（a）と金属材質で製作されたバス電極（b）から備えられたスキャン電極１０２及びサステイン電極１０３が対をなして含まれる。スキャン電極１０２及びサステイン電極１０３は放電電流を制限し、電極対間を絶縁させる一つ以上の上部誘電体層１０４により覆われ、上部誘電体層１０４の上面には放電条件を容易にするために酸化マグネシウム（MgO）を蒸着した保護層１０５が形成される。
【０００６】
後面基板１１０は複数個の放電空間、即ち、放電セルを形成させるためのストライプタイプ（または、ウェルタイプ）の隔壁１１２が平行を維持して配列される。また、アドレス放電を遂行して真空紫外線を発生させる多数のアドレス電極１１３が隔壁１１２に対し平行するように配置される。後面基板１１０の上側面にはアドレス放電時、画像表示のための可視光線を放出するＲ、Ｇ、Ｂ蛍光体１１４が塗布される。アドレス電極１１３と蛍光体１１４との間にはアドレス電極１１３を保護するための下部誘電体層１１５が形成される。
【０００７】
図２は、図１のプラズマディスプレイパネルを採択して構成した従来のプラズマ表示装置の構造を示す図である。
【０００８】
図２に示すように、従来のプラズマ表示装置は外形を決定するフロントキャビネット（Front cabinet）２１１及びバックカバー（Back cover）２１２を含んだケース２１０と、ケース２１０の内部に配置されて気体放電による真空紫外線で蛍光体を励起させて画像を具現するプラズマディスプレイパネル（PlasmaDisplay Panel）２２０と、プラズマディスプレイパネル２２０を駆動、制御するための駆動回路基板２３０と、駆動回路基板２３０と連結されてプラズマ表示装置駆動時に発生する熱を放出するための放熱機能を有するフレーム２４０とプラズマディスプレイパネル２２０の前面に形成されたフィルタ（Filter）２５０とフィルタ２５０を支持すると共に、金属バックカバー２１２と電気的に連結させるフィンガースプリングガスケット（FingerSpring Gasket）２６０及びフィルタ支持台（Filter Supporter）２７０及び駆動回路基板２３０を含んだプラズマディスプレイパネル２２０を支持するモジュールサポータ（ModuleSupporter）２８０から構成される。
【０００９】
このような従来のプラズマ表示装置において、プラズマディスプレイパネル２２０の内部の放電セルで放電が起こる際、必然的に熱と騷音を放出することになる。
【００１０】
また、プラズマディスプレイパネル２２０の放電のために、放電セルの内部に電位差を形成してやるための駆動回路基板２３０上に付着された各種素子からも放電のための駆動時に必然的に熱と騷音が放出されることになる。
【００１１】
このようなプラズマディスプレイパネル２２０の内部の放電セル及び駆動回路基板２３０上に付着された各種素子から放出される熱と騷音は、プラズマ表示装置の品位を落とす主要な要因である。
【００１２】
特に、最近プラズマ表示装置の騷音問題が重要な問題に浮び上がっているのに、このような騷音問題を根本的に解決することはだいぶ難しい問題である。
【００１３】
その理由をプラズマディスプレイパネル２２０と駆動回路基板２３０上に付着された各種素子に分けて注意深くみれば次の通りである。
【００１４】
まず、プラズマディスプレイパネル２２０は、数多い製造工程を経て完成されるので、騷音の低減のために、どの一つの工程を修正するならば、以後の数多い他の工程に影響を及ぼすことになるので、これは莫大な人力と経費を必要とする問題であって、経済的な面で大きな損失である。
【００１５】
また、駆動回路基板２３０上に付着された数多い各種素子の各々に対し、騷音発生の原因を分析してケースバイケース（Case By Case）方式でその解決手段を講することも莫大な人力と経費を必要とする問題であって、経済的側面で大きな損失が生じる問題がある。
【発明の開示】
【発明が解決しようとする課題】
【００１６】
本発明は、プラズマディスプレイパネルの放電及び駆動回路素子から発生する騷音を低費用で遮断することを目的とする。
【００１７】
本発明は、除振シートに熱伝導性物質を添加することによって、放熱効果を向上させることを目的とする。
【課題を解決するための手段】
【００１８】
本発明の一実施形態に係るプラズマ表示装置は、上、下板が結合されたプラズマディスプレイパネル、プラズマディスプレイパネルの背面に形成された除振シート、除振シートの背面に形成されてプラズマディスプレイパネルを駆動する多数の駆動回路基板を含む。
【００１９】
前記除振シートの背面に形成されて、前記多数の駆動回路基板を固定するフレームを更に含む。
【００２０】
前記除振シートは、ポリマー系列の物質または繊維形態の無機物質の中、少なくともいずれかの一つを含む。
【００２１】
前記除振シートは、熱伝導性物質を含む。
【００２２】
前記熱伝導性物質は炭素（C）であることを特徴とする。
【００２３】
本発明の一実施形態に係るプラズマ表示装置は、上、下板が結合されたプラズマディスプレイパネルと、前記プラズマディスプレイパネルの背面に形成された放熱シートと、前記放熱シートの背面に形成された除振シートと、前記除振シートの背面に形成されて、前記プラズマディスプレイパネルを駆動する多数の駆動回路基板と、を含む。
【００２４】
前記除振シートの背面に形成されて、前記多数の駆動回路基板を固定するフレームを更に含む。
【００２５】
前記除振シートは、前記多数の駆動回路基板の中、少なくとも一つ以上の駆動回路基板と対向して付着される。
【００２６】
前記除振シートはポリマー系列の物質または繊維形態の無機物質の中、少なくともいずれか一つを含む。
【００２７】
前記除振シートは熱伝導性物質を含み、前記熱伝導性物質は炭素（C）であることが好ましい。
【００２８】
前記放熱シートの背面に溝が形成され、前記溝には前記除振シートが形成される。
【００２９】
前記除振シートはポリマー系列の物質または繊維形態の無機物質の中、少なくともいずれか一つを含む。
【００３０】
前記除振シートは熱伝導性物質を含み、前記熱伝導性物質は炭素（C）であることが好ましい。
【００３１】
本発明の一実施形態に係るプラズマ表示装置は、上、下板が結合されたプラズマディスプレイパネルと、前記プラズマディスプレイパネルの背面に形成された除振シートと、前記除振シートの背面に形成された放熱シートと、前記放熱シートの背面に形成されて、前記プラズマディスプレイパネルを駆動する多数の駆動回路基板とを含む。
【００３２】
前記放熱シートの背面に形成されて、前記多数の駆動回路基板を固定するフレームを更に含む。
【００３３】
前記除振シートは前記多数の駆動回路基板の中、少なくとも一つ以上の駆動回路基板と対向して付着される。
【００３４】
前記除振シートはポリマー系列の物質または繊維形態の無機物質の中、少なくともいずれか一つを含む。
【００３５】
前記除振シートは熱伝導性物質を含み、前記熱伝導性物質は炭素（C）であることが好ましい。
【００３６】
前記放熱シートの前面に溝が形成され、前記溝には前記除振シートが形成される。
【００３７】
前記除振シートはポリマー系列の物質または繊維形態の無機物質の中、少なくともいずれか一つを含み、前記除振シートは熱伝導性物質を含み、前記熱伝導性物質は炭素（C）であることが好ましい。
【発明の効果】
【００３８】
本発明は、プラズマディスプレイパネルの放電及び駆動回路素子から発生する騷音を遮断することによって、高い水準の騷音の低減が保障されてプラズマ表示装置の製造費用を低減する効果がある。 
【発明を実施するための最良の形態】
【００３９】
以下では、本発明の一実施形態に係る具体的な実施形態を添付の図面を参照しつつ説明する。
【００４０】
図３は、本発明の第１実施形態に係るプラズマ表示装置の構造を概略的に示す分解斜視図である。
【００４１】
図３に示すように、本発明に係るプラズマ表示装置は、上、下板が結合されて内部の気体放電により画像が具現されるプラズマディスプレイパネル２２０、プラズマディスプレイパネル２２０の背面に形成されてプラズマディスプレイパネル２２０の放電のための駆動時にプラズマディスプレイパネル２２０の内部の放電セル及び駆動回路素子から発生する騷音を遮断する除振シート３２１、除振シート３２１の背面に形成されてプラズマディスプレイパネル２２０を駆動する多数の駆動回路基板を固定するフレーム２４０及びフレーム２４０の背面に固定されて、前記プラズマディスプレイパネル２２０を駆動する多数の駆動回路基板２３０Ｘ、２３０Ｙ、２３０Ｚを含む。
【００４２】
このようなプラズマ表示装置はプラズマディスプレイパネル２２０の内部の放電セルで放電が起こる際、必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００４３】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００４４】
本発明ではこのような騷音がプラズマ表示装置の外部に放出されることを防止するために、図３に示すように、除振シート３２１はプラズマディスプレイパネル２２０と駆動回路基板２３０Ｘ、２３０Ｙ、２３０Ｚが装着されたフレーム２４０間に形成される。
【００４５】
このように、除振シート３２１をプラズマディスプレイパネル２２０及び駆動回路基板２３０Ｘ、２３０Ｙ、２３０Ｚが装着されたフレーム２４０と接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００４６】
この際、除振シート３２１はポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって除振シート３２１の内部で騷音を減衰させて消滅するようにする。
【００４７】
また、除振シート３２１は熱伝導性物質を含むようにすることが好ましい。より好ましくは、熱伝導性物質は炭素（C）とすることにより、放熱シート３２２と共に放熱機能を遂行するようにしてプラズマ表示装置の放熱機能を倍加することができる。
【００４８】
図４は、本発明の第２実施形態に係るプラズマ表示装置の構造を概略的に示す分解斜視図である。
【００４９】
図４に示すように、本発明に係るプラズマ表示装置は、上、下板が結合されて、内部の気体放電により画像が具現されるプラズマディスプレイパネル２２０、プラズマディスプレイパネル２２０の背面に形成されて、プラズマディスプレイパネル２２０の放電のための駆動時にプラズマディスプレイパネル２２０の内部の放電セル及び駆動回路素子から発生する熱を遮断する放熱シート３２２、放熱シート３２２の背面に形成されてプラズマディスプレイパネル２２０の放電のための駆動時にプラズマディスプレイパネル２２０の内部の放電セル及び駆動回路素子から発生する騷音を遮断する除振シート３２１、除振シート３２１の背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて、前記プラズマディスプレイパネル２２０を駆動する多数の駆動回路基板２３０Ｘ、２３０Ｙ、２３０Ｚを含む。
【００５０】
このようなプラズマ表示装置はプラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００５１】
このようなプラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００５２】
本発明では、このような騷音がプラズマ表示装置の外部に放出されることを防止するために、図４に示すように、除振シート３２１は放熱シート３２２と駆動回路基板２３０Ｘ、２３０Ｙ、２３０Ｚが装着されたフレーム２４０間に形成される。
【００５３】
このように、除振シート３２１を放熱シート３２２及び駆動回路基板２３０Ｘ、２３０Ｙ、２３０Ｚが装着されたフレーム２４０と接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００５４】
この際、除振シート３２１はポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって除振シート３２１の内部で騷音を減衰させて消滅するようにする。
【００５５】
また、除振シート３２１は熱伝導性物質を含むようにすることが好ましい。より好ましくは、熱伝導性物質は炭素（C）とすることにより、放熱シート３２２と共に放熱機能を遂行するようにしてプラズマ表示装置の放熱機能を倍加することができる。
【００５６】
図５は、本発明の第３実施形態に係るプラズマ表示装置の構造を概略的に示す分解斜視図である。
【００５７】
図５に示すように、本発明に係るプラズマ表示装置は、上、下板が結合されて内部の気体放電により画像が具現されるプラズマディスプレイパネル２２０、プラズマディスプレイパネル２２０の背面に形成されてプラズマディスプレイパネル２２０の放電のための駆動時にプラズマディスプレイパネル２２０の内部の放電セル及び駆動回路素子から発生する騷音を遮断する除振シート３２１、除振シート３２１の背面に形成されてプラズマディスプレイパネル２２０の放電のための駆動時にプラズマディスプレイパネル２２０の内部の放電セル及び駆動回路素子から発生する熱を遮断する放熱シート３２２、放熱シート３２２の背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて前記プラズマディスプレイパネル２２０を駆動する多数の駆動回路基板２３０Ｘ、２３０Ｙ、２３０Ｚを含む。
【００５８】
このように、プラズマ表示装置はプラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００５９】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００６０】
本発明では、このような騷音がプラズマ表示装置の外部に放出されることを防止するために、図５に示すように、除振シート３２１はプラズマディスプレイパネル２２０と放熱シート３２２との間に形成される。
【００６１】
このように、除振シート３２１をプラズマディスプレイパネル２２０と放熱シート３２２に接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００６２】
この際、除振シート３２１はポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって除振シート３２１の内部で騷音を減衰させて消滅するようにする。
【００６３】
また、除振シート３２１は熱伝導性物質を含むようにすることが好ましい。より好ましくは、熱伝導性物質は炭素（C）とすることにより、放熱シート３２２と共に放熱機能を遂行するようにして、プラズマ表示装置の放熱機能を倍加することができる。
【００６４】
図６は、本発明の第４実施形態に係るプラズマ表示装置の構造を概略的に示す分解斜視図である。
【００６５】
図６に示すように、本発明に係るプラズマ表示装置は、上、下板が結合されて内部の気体放電により画像が具現されるプラズマディスプレイパネル２２０、プラズマディスプレイパネル２２０の背面に形成されてプラズマディスプレイパネル２２０の放電のための駆動時にプラズマディスプレイパネル２２０の内部の放電セル及び駆動回路素子から発生する熱を遮断する放熱シート３２２、放熱シート３２２の背面に多数の駆動回路基板２３０Ｘ、２３０Ｙ、２３０Ｚの中、少なくとも一つ以上の駆動回路基板と対向するように形成されてプラズマディスプレイパネル２２０の放電のための駆動時にプラズマディスプレイパネル２２０の内部の放電セル及び駆動回路素子から発生する騷音を遮断する除振シート６２１Ｘ、６２１Ｙ、６２１Ｚ、除振シート６２１Ｘ、６２１Ｙ、６２１Ｚの背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて前記プラズマディスプレイパネル２２０を駆動する多数の駆動回路基板２３０Ｘ、２３０Ｙ、２３０Ｚを含む。
【００６６】
このように、プラズマ表示装置はプラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００６７】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００６８】
本発明では、このような騷音がプラズマ表示装置の外部に放出されることを防止するために、図６に示すように、除振シート６２１Ｘ、６２１Ｙ、６２１Ｚは放熱シート３２２と多数の駆動回路基板２３０Ｘ、２３０Ｙ、２３０Ｚが装着されたフレーム２４０との間に多数の駆動回路基板２３０Ｘ、２３０Ｙ、２３０Ｚの中、少なくとも一つ以上の駆動回路基板と対向するように形成される。
【００６９】
このように、除振シート６２１Ｘ、６２１Ｙ、６２１Ｚを放熱シート３２２及び駆動回路基板２３０Ｘ、２３０Ｙ、２３０Ｚが装着されたフレーム２４０と接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００７０】
この際、除振シート６２１Ｘ、６２１Ｙ、６２１Ｚは、ポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって、除振シート６２１Ｘ、６２１Ｙ、６２１Ｚの内部で騷音を減衰させて消滅するようにする。
【００７１】
また、除振シート６２１Ｘ、６２１Ｙ、６２１Ｚは、熱伝導性物質を含むようにすることが好ましい。より好ましくは、熱伝導性物質は炭素（C）とすることにより、放熱シート３２２と共に放熱機能を遂行するようにして、プラズマ表示装置の放熱機能を倍加することができる。
【００７２】
図７は、本発明の第５実施形態に係るプラズマ表示装置の構造を概略的に示す分解斜視図である。
【００７３】
図７に示すように、本発明に係るプラズマ表示装置は、上、下板が結合されて内部の気体放電により画像が具現されるプラズマディスプレイパネル２２０、プラズマディスプレイパネル２２０の背面に多数の駆動回路基板２３０Ｘ、２３０Ｙ、２３０Ｚの中、少なくとも一つ以上の駆動回路基板と対向するように形成されて、プラズマディスプレイパネル２２０の放電のための駆動時にプラズマディスプレイパネル２２０の内部の放電セル及び駆動回路素子から発生する騷音を遮断する除振シート６２１Ｘ、６２１Ｙ、６２１Ｚ、除振シート６２１Ｘ、６２１Ｙ、６２１Ｚの背面に形成されてプラズマディスプレイパネル２２０の放電のための駆動時にプラズマディスプレイパネル２２０の内部の放電セル及び駆動回路素子から発生する熱を遮断する放熱シート３２２、放熱シート３２２の背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて前記プラズマディスプレイパネル２２０を駆動する多数の駆動回路基板２３０Ｘ、２３０Ｙ、２３０Ｚを含む。
【００７４】
このようなプラズマ表示装置は、プラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００７５】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００７６】
本発明では、このような騷音がプラズマ表示装置の外部に放出されることを防止するために、図７に示すように、除振シート６２１Ｘ、６２１Ｙ、６２１Ｚはプラズマディスプレイパネル２２０と放熱シート３２２との間に形成される。
【００７７】
このように、除振シート６２１Ｘ、６２１Ｙ、６２１Ｚをプラズマディスプレイパネル２２０と放熱シート３２２に接して付着することによって、プラズマディスプレイパネル２２０放電時に発生する振動とプラズマディスプレイパネル２２０の駆動のために駆動素子に電圧が印加される時に発生する振動の伝達を防いで騷音が外部に放出されることを遮断することができる。
【００７８】
この際、除振シート６２１Ｘ、６２１Ｙ、６２１Ｚは、ポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって除振シート６２１Ｘ、６２１Ｙ、６２１Ｚの内部で騷音を減衰させて消滅するようにする。
【００７９】
また、除振シート６２１Ｘ、６２１Ｙ、６２１Ｚは、熱伝導性物質を含むようにすることが好ましい。より好ましくは、熱伝導性物質は炭素（C）とすることにより、放熱シート３２２と共に放熱機能を遂行するようにしてプラズマ表示装置の放熱機能を倍加することができる。
【００８０】
図８は、本発明の第６実施形態に係るプラズマ表示装置の構造を概略的に示す分解斜視図である。
【００８１】
図８に示すように、本発明に係るプラズマ表示装置は、上、下板が結合されて内部の気体放電により画像が具現されるプラズマディスプレイパネル２２０、プラズマディスプレイパネル２２０の背面に形成されてプラズマディスプレイパネル２２０の放電のための駆動時にプラズマディスプレイパネル２２０の内部の放電セル及び駆動回路素子から発生する熱を遮断する放熱シート８２２、放熱シート８２２の背面に所定広さだけ形成された溝の内部に形成されてプラズマディスプレイパネル２２０の放電のための駆動時にプラズマディスプレイパネル２２０の内部の放電セル及び駆動回路素子から発生する騷音を遮断する除振シート８２１、除振シート８２１の背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて前記プラズマディスプレイパネル２２０を駆動する多数の駆動回路基板２３０Ｘ、２３０Ｙ、２３０Ｚを含む。
【００８２】
このようなプラズマ表示装置は、プラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００８３】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００８４】
本発明では、このような騷音がプラズマ表示装置の外部に放出されることを防止するために、図８に示すように、除振シート８２１は放熱シート８２２と駆動回路基板２３０Ｘ、２３０Ｙ、２３０Ｚが装着されたフレーム２４０との間に形成される。
【００８５】
このように、除振シート８２１を放熱シート８２２及び駆動回路基板２３０Ｘ、２３０Ｙ、２３０Ｚが装着されたフレーム２４０と接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００８６】
この際、除振シート８２１は、ポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって除振シート８２１の内部で騷音を減衰させて消滅するようにする。
【００８７】
また、除振シート８２１は、熱伝導性物質を含むようにすることが好ましい。より好ましくは、熱伝導性物質は炭素（C）とすることにより、放熱シート８２２と共に放熱機能を遂行するようにしてプラズマ表示装置の放熱機能を倍加することができる。
【００８８】
図９は、本発明の第７実施形態に係るプラズマ表示装置の構造を概略的に示す分解斜視図である。
【００８９】
図９に示すように、本発明に係るプラズマ表示装置は、上、下板が結合されて内部の気体放電により画像が具現されるプラズマディスプレイパネル２２０、プラズマディスプレイパネル２２０の背面に接着され、また、放熱シート８２２の前面に所定広さだけ形成された溝の内部に形成されてプラズマディスプレイパネル２２０の放電のための駆動時にプラズマディスプレイパネル２２０の内部の放電セル及び駆動回路素子から発生する騷音を遮断する除振シート８２１、除振シート８２１の背面に形成されてプラズマディスプレイパネル２２０の放電のための駆動時にプラズマディスプレイパネル２２０の内部の放電セル及び駆動回路素子から発生する熱を遮断する放熱シート８２２、放熱シート８２２の背面に形成されてプラズマディスプレイパネル２２０を駆動する多数の駆動回路基板２３０Ｘ、２３０Ｙ、２３０Ｚを固定するフレーム２４０及びフレーム２４０の背面に固定されて前記プラズマディスプレイパネル２２０を駆動する多数の駆動回路基板２３０Ｘ、２３０Ｙ、２３０Ｚを含む。
【００９０】
このようなプラズマ表示装置はプラズマディスプレイパネル２２０の内部の放電セルで放電が起こる時に必然的に熱と騷音を放出することになり、また、プラズマディスプレイパネル２２０の放電のために放電セルの内部に電位差を形成してやるための駆動回路基板２３０Ｘ、２３０Ｙ、２３０Ｚ上に付着された各種素子からも放電のための駆動時に必然的に熱と騷音が放出される。
【００９１】
このように、プラズマディスプレイパネル２２０の内部の放電セル及び駆動回路基板２３０Ｘ、２３０Ｙ、２３０Ｚ上に付着された各種素子から放出される熱と騷音はプラズマ表示装置の品位を落とす主要な要因である。
【００９２】
本発明では、このような騷音がプラズマ表示装置の外部に放出されることを防止するために、図９に示すように、除振シート８２１はプラズマディスプレイパネル２２０と放熱シート８２２との間に形成される。
【００９３】
このように、除振シート８２１をプラズマディスプレイパネル２２０と放熱シート８２２に接して付着することによって、プラズマディスプレイパネル２２０の放電時に発生する振動とプラズマディスプレイパネル２２０の駆動のために駆動素子に電圧が印加される時に発生する振動の伝達を防いで騷音が外部に放出されることを遮断することができる。
【００９４】
この際、除振シート８２１は、ポリマー系列の物質または繊維形態の無機物質の中、少なくともいずれか一つを含むようにすることが好ましい。より好ましくは、両物質を全て含むようにしてポリマーと繊維との間の摩擦を利用して騷音の主原因である振動の伝達を遮断することによって、除振シート８２１の内部で騷音を減衰させて消滅するようにする。
【００９５】
また、除振シート８２１は、熱伝導性物質を含むようにすることが好ましい。より好ましくは、熱伝導性物質は炭素（C）とすることにより、放熱シート８２２と共に放熱機能を遂行するようにしてプラズマ表示装置の放熱機能を倍加することができる。
【００９６】
これによって、プラズマディスプレイパネルの放電及び駆動回路素子から発生する騷音を遮断することによって、高い水準の騷音低減が保障されてプラズマ表示装置の製造費用を低減する効果がある。
【００９７】
以上、説明した内容を通じて当業者であれば本発明の技術事象を外れない範囲で変更が可能であり、本発明の技術的範囲は明細書の詳細な説明に記載された内容に限るのではなく、特許請求範囲により定めるはずである。
【図面の簡単な説明】
【００９８】
【図１】一般的なプラズマディスプレイパネルの斜視図である。
【図２】図１のプラズマディスプレイパネルを採択して構成した従来のプラズマ表示装置の構造を示す図である。
【図３】本発明の第１実施形態に係るプラズマ表示装置の構造を概略的に示す分解斜視図である。
【図４】本発明の第２実施形態に係るプラズマ表示装置の構造を概略的に示す分解斜視図である。
【図５】本発明の第３実施形態に係るプラズマ表示装置の構造を概略的に示す分解斜視図である。
【図６】本発明の第４実施形態に係るプラズマ表示装置の構造を概略的に示す分解斜視図である。
【図７】本発明の第５実施形態に係るプラズマ表示装置の構造を概略的に示す分解斜視図である。
【図８】本発明の第６実施形態に係るプラズマ表示装置の構造を概略的に示す分解斜視図である。
【図９】本発明の第７実施形態に係るプラズマ表示装置の構造を概略的に示す分解斜視図である。
【符号の説明】
【００９９】
１００    前面基板 
１０１    前面ガラス
１０２    スキャン電極
１０３  サステイン電極
１０４    上部誘電体層
１０５    保護層
１１０    後面基板
１１１    後面ガラス
１１２    隔壁
１１３    アドレス電極
２１０    ケース
２１１    フロントキャビネット
２１２    バックカバー
２２０    プラズマディスプレイパネル
２３０    駆動回路基板
２４０    フレーム
２５０    フィルタ
２６０    フィンガースプリングガスケット
２７０    フィルタ支持台
２８０    モジュールサポータ
３２１    除振シート
３２２    放熱シート
【図１】
2006184904.tif 000003
【図２】
2006184904.tif 000004
【図３】
2006184904.tif 000005
【図４】
2006184904.tif 000006
【図５】
2006184904.tif 000007
【図６】
2006184904.tif 000008
【図７】
2006184904.tif 000009
【図８】
2006184904.tif 000010
【図９】
2006184904.tif 000011